(57)【要約】      （修正有）【課題】メータボックスやメータボックス用基盤がズレたりはみ出したりしないよう固定でき、配管高さが自由設定できるメータボックス用基盤を提供する。【解決手段】上部にメータボックスが設置される四角形状の枠体部３２と、四角形状の枠体部の各辺の少なくとも一部に凸状に形成されたメータボックスのズレ止め部５と、枠体部の四角のうち少なくとも２箇所に上下方向に貫通するように形成された貫通穴部６と、枠体部の対向する２つの側面に開口可能に形成された開口可能部とを備えたことを特徴とする。【選択図】図１
0003200621.tif 000002
【実用新案登録請求の範囲】
【請求項１】
上部にメータボックスが設置される四角形状の枠体部と、前記四角形状の枠体部の各辺の少なくとも一部に凸状に形成されたメータボックスのズレ止め部と、前記枠体部の四角のうち少なくとも２箇所に上下方向に貫通するように形成された貫通穴部と、前記枠体部の対向する２つの側面に開口可能に形成された開口可能部とを備えたメータボックス用基盤。
【請求項２】
それぞれが上下逆に重ねて設置される実用新案登録請求の範囲第１項に記載のメータボックス用基盤。
【請求項３】
前記開口可能部は周囲の領域よりも肉薄である実用新案登録請求の範囲第１項に記載のメータボックス用基盤。
【考案の詳細な説明】
【技術分野】  本考案は水道用メータボックスの下部に設置されるメータボックス用基盤に関する。
【背景技術】  例えば、特許文献１に記載の従来のメータボックス用基盤は、コンクリート製の四角形状の枠状体からなり、表面の平坦な枠部分にメータボックスを設置して使用している。また、このようなメータボックス用基盤は、側面に、金づちなどで打ち込んで開口できるノックアウト部を有している。このノックアウト部を打ち抜くことにより、打ち込んでできた開口を管路用穴として用いる。
また、従来のメータボックス用基盤を表裏交互に多段積み重ね必要な部分のノックアウト部を打ち抜く事で管路高さの調整や配管組立に自由がえられるものである。
【先行技術文献】
【特許文献】
【特許文献１】実用新案登録第３１６０１３２号
【考案の概要】
【考案が解決しようとする課題】  しかし上記のような従来のメータボックス用基盤では、振動や地震などでメータボックスやメータボックス用基盤がズレやはみ出しを起こしバルブの開閉やメータ検針ができないという問題がある。
またノックアウト部を打ち抜くことは、材質がコンクリートであることから実現できるが廃棄プラスチックスなどでは打ち抜くことができないという問題がある。
本考案は、従来のメータボックス用基盤で見られるズレやはみ出しの問題に鑑み、メータボックスやメータボックス用基盤がズレやはみ出さないようにすることと、材質がコンクリート以外でもノックアウト部を簡単にとり外すことができるメータボックス用基盤を提供するものである。
【課題を解決するための手段】  本考案は、上部にメータボックスが設置される四角形状の枠体部と、四角形状の枠体部の各辺の少なくとも一部に凸状に形成されたメータボックスのズレ止め部と、枠体部の四角のうち少なくとも２箇所に上下方向に貫通するように形成された貫通穴部と、枠体部の対向する２つの側面に開口可能に形成された開口可能部とを備えている。
【考案の効果】  本考案によれば、上部外周に設けられたズレ止部により、上部に設置されるメータボックスのズレやはみ出しがなくなり、メータボックス内部に設置するバルブや計器類を安全に保護できる。
また、枠体部の材質が廃棄プラスチックスなどに変わろうが、薄肉などにより取り外し易い形状の開口可能部となっているので、工具を用いカットすることで開口部が簡単に形成でき、管路設置工事が迅速にかつ容易に行うことができる。
【図面の簡単な説明】
【図１】組立平面図
【図２】組立正面図
【図３】組立側面図
【図４】メータボックス用基盤の平面図
【図５】メータボックス用基盤の正面断面図
【図６】メータボックス用基盤の側面図
【図７】開口を形成したメータボックス用基盤の側面図
【図８】組立側面図
【図９】多段積み重ねた組立側面図
【図１０】ボルト金結した部分断面図
【考案を実施するための形態】
以下、本考案を図面を用いて説明する。図１はメータボックスを設置した本考案の一実施の形態の組立平面図、図２は同組立正面図、図３は同組立側面図、図４は本同実施の形態のメータボックス用基盤の平面図、図５は同正面断面図、図６は同側面図、図７は開口可能部に開口を形成した同側面図、図８は本考案の他の実施の形態の組立側面図、図９は同実施の形態のメータボックス基盤を多段積み重ねた組立側面図、図１０は貫通穴部を用いボルト金結した場合の同実施の形態の部分断面図である。
図１〜７に示すように、本実施の形態のメータボックス用基盤３は、上部３１にメータボックス１が設置される四角形状の枠体部３２と、四角形状の枠体部３２の各辺の少なくとも一部に凸状に形成されたメータボックスのずれ止め部５と、枠体部３２の四角のうち少なくとも２箇所に上下方向に貫通するように形成された貫通穴部６と、枠体部３２の対向する２つの側面に開口可能に形成された開口可能部４とを備えている。メータボックス１は、内部のメータを点検できるように、開閉可能な点検蓋２を上部に備えており、側面には管路配置用の管路用穴１１が形成されている。
本実施の形態のメータボックス用基盤３は、枠体部３は外形が上方より下方が広がるテーパー形状を有しており、廃棄プラスチックスなどの材質からできている。開口可能部４は、例えば、対向する２つの側面中央部に周囲の他の部分よりも肉薄にできており、グラインダーなどの工具でカットして、図７に示すように開口であるＵ字形穴部９を形成できる。開口可能部４は、ノックアウト部とも呼ばれる。
本実施の形態では、メータボックス１も、上方より下方が広がるテーパー形状を有している。ずれ止め部５は枠体部３２の外周全体に形成されているが、各辺に少なくとも１つの凸部があればよい。貫通穴部６は各４角に形成されているが、少なくとも２つの角に形成されても良い。
開口可能部４は、グラインダーなどの工具でカットして、Ｕ字形穴部９を形成し、このＵ字形穴部９に管路を設置し、メータボックス１と管路を容易に接続できる。また、開口可能部４は、他の部分と材質を変える、形状を変える、カットラインを形成するなどして、他の部分よりも開口が容易に形成できるのであれば、どのような態様で形成しても良い。
メータボックス１を上部３１設置したメータボックス用基盤３は、メータボックス１の表面が地表面と面一になるように地中に、管路と共に埋設される。
以上のように、本実施の形態では、凸部に形成したずれ止め部５が設けられているので、埋設後に発生する振動や地震などでメータボックス用基盤３からメータボックス１がズレやはみ出しが起こらない。
また、開口可能部４が設けられているので、必要に応じて容易に開口することができ、管路などの配管設置工事が容易で迅速に行える。配管は、建築土木の散水、ガス・水道管用バルブ、電気などの地中ケーブル接続管であるが、これらの管路の保護および設置が容易に迅速に行える。
また、本考案は、図８〜１０の実施の形態に示すように、メータボックス用基盤３を上下互い違いに逆にして積み重ねて使用することができる。本実施の形態では、多段に重ねた複数のメータボックス用基盤３が互いにズレないように、最上段のメータボックス用基盤３の貫通穴部６から最下段のメータボックス用基盤３の貫通穴部６まで貫通する金結ボルト９を貫通し、上下端部をナット８でネジ止めする。これにより、複数のメータボックス用基盤３を強固に固定でき、強固にメータボックス用基盤３を埋設できる。したがって、メータボックス１の内部の設備や計器類の安全性が大幅に向上する。
本実施の形態によれば、各メータボックス用基盤３の各Ｕ字形穴部９が互いに上下に隣接して位置することになる。したがって、管路を設置するスペースが図１に示す実施の形態よりも大きくなり、作業性が向上する。
以上のように本実施の形態によれば、振動や地震などでメータボックス用基盤３からメータボックス１がズレやはみ出しが起こらないのはもちろんのこと、多段に重ねたメータボックス用基盤３もズレやはみ出しが起こらない。
しかも、上下のメ−タボックス用基盤３のＵ字形穴部９が上下逆方向で一致するため、開口可能部４により形成される開口が先の実施の形態よりも大きくでき、より作業性が向上する。さらに、配管の高さの位置を自由に設定できる。
なお、以上の実施の形態ではメータボックス用基盤３は枠部３２のみを有しているが、枠本体部３２の底面を覆う底部を有するものであっても本考案は可能である。
以上説明したように、本考案によれば、凸部に形成したずれ止め部が設けられているので、埋設後に発生する振動や地震などでメータボックス用基盤からメータボックスがズレやはみ出しが起こらない。
また、開口可能部が設けられているので、必要に応じて容易に開口することができ、管路などの配管設置工事が容易で迅速に行える。
さらに、上下を互い違いに逆にして設置し、貫通穴部を利用して複数のメータボックス用基盤を固定することにより、配管設置高さの自由度が増える。
【産業上の利用可能性】  本考案は、はみ出しやズレなく設置でき、管路設置の自由度も増すので、一般土木、上下水道、ガス、電気等の建設土木器材などとして多方面に有用できる。
【符号の説明】  １  メータボックス
２  点検蓋
３  メータボックス用基盤
４  開口可能部
５  ズレ止め部
６  貫通穴部
７  金結ボルト
８  ナット
９  Ｕ字形穴部
１１  管路用穴
３１  上部
３２  枠体部
【図１】
0003200621.tif 000003
【図２】
0003200621.tif 000004
【図３】
0003200621.tif 000005
【図４】
0003200621.tif 000006
【図５】
0003200621.tif 000007
【図６】
0003200621.tif 000008
【図７】
0003200621.tif 000009
【図８】
0003200621.tif 000010
【図９】
0003200621.tif 000011
【図１０】
0003200621.tif 000012